(57)【要約】【課題】本考案は、空気の吸入と排出を素早く行うことができるとともに、製造しやすく且つ製造コストを下げることが可能な直接連通する気嚢型高さ調整構造を提供する。【解決手段】少なくとも二つの気嚢袋からなる。前記気嚢袋の内部には弾性体が設けられ、気嚢袋の内の一つには、気嚢袋への空気の吸入と排出を制御するための空気制御ユニットが設けられ、気嚢袋の向かい合う面には、相互に対応する通孔が設けられ、通孔周辺には接合領域が設けられるとともに、接合領域は相互に接合される。【選択図】図１
0003177133.tif 000002
【実用新案登録請求の範囲】
【請求項１】
少なくとも二つの気嚢袋からなる直接連通する気嚢型高さ調整構造であって、
前記気嚢袋の内部には弾性体が設けられ、気嚢袋の内の一つには、気嚢袋への空気の吸入と排出を制御するための空気制御ユニットが設けられ、気嚢袋の向かい合う面には、相互に対応する通孔が設けられ、通孔周辺には接合領域が設けられるとともに、接合領域は相互に接合されることを特徴とする、直接連通する気嚢型高さ調整構造。
【請求項２】
前記弾性体は、発泡材料であることを特徴とする、請求項１に記載の直接連通する気嚢型高さ調整構造。
【請求項３】
前記弾性体は、ウレタンフォームであることを特徴とする、請求項１に記載の直接連通する気嚢型高さ調整構造。
【考案の詳細な説明】
【技術分野】
【０００１】
本考案は高さ調整構造に関し、特に空気の吸入と排出を素早く行うことができるとともに、製造しやすく且つ製造コストを下げることが可能な直接連通する気嚢型高さ調整構造に関する。
【背景技術】
【０００２】
従来の高さ調整裝置は、製品の構造上、内部に弾性体を備える複数の気嚢袋によって空気の吸入と排出を行う。それによって、高さの調整ができるとともに、表面を、使用者の様々な姿勢に合わせて使用者の各部位に完全に貼りつけることができる。しかしながら、この構造には、少なくとも以下の欠点が存在する。
１、複数の気嚢袋は、それぞれが個別に、外部に接続された空気制御ユニットの圧力を受けて、空気の吸入、排出を行うが、気嚢袋の数が多い時は、空気制御ユニットも増やし、気嚢袋の気密性を考慮しなければならないため、製造しにくいだけでなく、製造コストもかかる。
２、各気嚢袋の間は、増設した通気管を媒質にすることよって相互に連結されて空気が通るため、製造しにくいだけでなく、コストもかかる。
３、各気嚢袋の間は、増設した通気管を媒質にすることよって相互に連結されて空気が通るため、気流の流れが増え、気嚢袋の空気の吸入、排出の速度が遅くなり、高さを調整する操作がしにくくなる。
【考案の概要】
【考案が解決しようとする課題】
【０００３】
そこで、本考案は、空気の吸入と排出を素早く行うことができるとともに、製造しやすく且つ製造コストを下げることが可能な直接連通する気嚢型高さ調整構造を提供することを目的とする。
【課題を解決するための手段】
【０００４】
上述の目的を達成するために、本考案による直接連通する気嚢型高さ調整構造は、少なくとも二つの気嚢袋からなる。前記気嚢袋の内部には弾性体が設けられ、気嚢袋の内の一つには、気嚢袋への空気の吸入と排出を制御するための空気制御ユニットが設けられ、気嚢袋の向かい合う面には、相互に対応する通孔が設けられ、通孔周辺には接合領域が設けられるとともに、接合領域は相互に接合される。それにより、気嚢袋を直接相互に結合することができ、気嚢袋の間にその他の媒質（例えば、通気管）を設けなくても、気嚢袋内の空気を直接相互に流通させることができる。従って、空気の吸入と排出を素早く行うことができるとともに、製造しやすく且つ製造コストを下げることができる。
【図面の簡単な説明】
【０００５】
【図１】本考案の実施例１の分解斜視図である。
【図２】本考案の実施例１の高さが低い状態を示した断面図である。
【図３】本考案の実施例１の高さが高い状態を示した断面図である。
【図４】本考案の実施例２の分解斜視図である。
【図５】本考案の実施例２の高さが低い状態を示した断面図である。
【図６】本考案の実施例２の高さが高い状態を示した断面図である。
【図７】クッション体内に設けた本考案の気嚢袋の各種組合せ形態及び構造を示した概略図である。
【図８】クッション体内に設けた本考案の気嚢袋の各種組合せ形態及び構造を示した概略図である。
【図９】クッション体内に設けた本考案の気嚢袋の各種組合せ形態及び構造を示した概略図である。
【図１０】クッション体内に設けた本考案の気嚢袋の各種組合せ形態及び構造を示した概略図である。
【図１１】本考案の実施例３をクッション体内に設けた例を示した分解斜視図である。
【図１２】図１１のクッション体を上から見た状態を示した説明図である。
【図１３】本考案の実施例３とクッション体の使用実施例を示した説明図である。
【図１４】本考案の実施例３とクッション体の使用実施例を示した説明図である。
【図１５】本考案の実施例４を首枕内に設けた例を示した分解斜視図である。
【図１６】図１５の首枕を上から見た状態を示した説明図である。
【図１７】図１５の首枕の使用実施例を示した説明図である。
【図１８】図１５の首枕を、伏せて寝る時の枕として使用した実施例を示した説明図である。
【図１９】本考案の実施例５を枕の中に設けた例を示した斜視図である。
【図２０】図１９の枕の使用実施例の断面図である。
【図２１】本考案の実施例６をカバーの中に設けた例を示した斜視図である。
【図２２】図２１のカバーの使用実施例の断面図である。
【図２３】本考案の実施例７を背もたれの中に設けた例を示した斜視図である。
【図２４】図２３の背もたれの使用実施例を示した説明図である。
【考案を実施するための形態】
【０００６】
（実施例１）
図１と図２に示すように、本考案は、複数の気嚢袋１０、２０と、気嚢袋１０、２０の空気の吸入と排出を制御するための空気制御ユニット３０とからなり、それにより、気嚢袋１０、２０の高さ、硬さ、形状の調整を行うことができる。以下に、詳細な説明を行う。
【０００７】
気嚢袋１０、２０は、適切な形に変形させることができる。その内部には、それぞれ、弾性体１１、２１が設けられ、弾性体１１、２１は、発泡材料、例えば、ウレタンフォーム、或いは、発泡プラスチック、或いは、発泡ゴム等の弾性材料である。本実施例では、ウレタンフォームを採用する。気嚢袋２０は、気嚢袋１０の上方に重ねて配置することで、気嚢袋１０、２０は相互に連通する。
【０００８】
空気制御ユニット３０は、気嚢袋１０に設けられるとともに、管体と弁体を備える。その内、弁体は、圧力を受けると開き、圧力が解除されると閉じる。それにより、使用者は、空気制御ユニット３０を介して、外部の空気を気嚢袋１０、２０内に吸入して膨張させること（図３に図示）、或いは、気嚢袋１０、２０が圧縮された後の空気を排出することができる（図２に図示）。また、弾性体１１、２１が、その膨張と圧縮を助ける役割をする。それにより、気嚢袋１０、２０の高さ、硬さ、及び形状を調整することができる。なお、気嚢袋１０、２０の高さ、硬さ、形状が調整された後、その内部は、特定の圧力状態が保たれる。
【０００９】
本考案は、主に、気嚢袋１０、２０の向かい合う面（重ねて貼り合わせられる箇所）に、それぞれ、相互に対応する通孔１２、２２を設け、通孔１２、２２の周辺に、それぞれ、接合領域１３、２３を設け、接合領域１３、２３を接合させる。接合加工の方式は、ホットプレス、或いは、粘着接合を採用することができる。それにより、気嚢袋１０、２０を相互に直接結合し、気嚢袋１０、２０内の空気を直接相互に流通させることができる。
【００１０】
図２に示すように、本考案を使用する際、空気制御ユニット３０が圧力を受けて開いた状態で、気嚢袋１０、２０及び弾性体１１、２１が外部の圧力で圧縮された場合（例えば、手や頭で下に押された場合）、気嚢袋２０内、及び弾性体２１内の空気の一部は、通孔２２、１２から気嚢袋１０に進入し、さらに、気嚢袋１０を通過した後、空気制御ユニット３０から排出される。この時、もし、空気制御ユニット３０が閉じていて、空気が進入しなかった場合は、気嚢袋１０、２０の内部は、特定の圧力状態が保持され、負圧の吸力が生じ、気嚢袋１０、２０は弾性体１１、２１の表面に貼りつき、気嚢袋１０、２０の高さも低い状態になる。
【００１１】
図３に示すように、本考案を使用する際、空気制御ユニット３０が圧力を受けて開き、外部の空気が空気制御ユニット３０から気嚢袋１０、２０内に進入すると、弾性体１１、２１は、空気の進入により膨張し、気嚢袋１０、２０も膨張する。それにより、気嚢袋１０、２０の高さが高い状態になる。
【００１２】
ここで強調しておきたいこととして、図２と図３から分かるように、本考案は、気嚢袋１０、２０を直接相互に結合することにより、気嚢袋１０、２０内の空気を直接相互に流通させる、という点である。従って、気嚢袋１０、２０の空気の吸入と排出を素早く行うことができ、高さの調整の操作をさらに手軽にすることができる。また、本考案は、気嚢袋１０、２０を直接相互に結合させ、その他の媒質（例えば、通気管）を設ける必要がなく、しかも、気嚢袋１０、２０は一つの空気制御ユニット３０を共用すれば空気の進入と排出を行うことができるため、製造しやすく、且つ製造コストを下げる効果がある。
【００１３】
（実施例２）
図４、図５、図６に示すように、本考案の実施例２では、気嚢袋２０上方に、さらに、弾性体４１を備える気嚢袋４０を重ねて配置する。気嚢袋２０、４０の向かい合う面には、それぞれ、相互に対応する通孔２４、４２を設ける。通孔２４、４２の周辺には、それぞれ、接合領域２５、４３を設け、接合領域２５、４３を相互に接合する。それにより、気嚢袋４０、２０を直接相互に結合させることができ、気嚢袋４０、２０、１０内の空気を直接相互に流通させることができる。
【００１４】
図７から図１０に示すように、本考案の直接連通する気嚢型高さ調整構造１を、クッション体５０内に設けることにより、クッション体５０を、人の体の特定部位にぴったりとくっつけることができる以外に、高さ、硬さ、形状の調整も行うことができる。各図では、気嚢袋を、ニーズに応じて各種の大きさの形状を形成させることができること、また、気嚢袋を臨機応変に増設したり任意の配列で組み合わせたりすることができることを示している。
【００１５】
（実施例３）
図１１と図１２に示すように、本考案の実施例３は、複数の気嚢型高さ調整構造１ａ、１ｂ、１ｃからなる。気嚢型高さ調整構造１ａ、１ｂ、１ｃは、クッション体６０内に設ける。なお、クッション体６０は、人が座ることができるとともに装飾効果をもつ表面部６１と、下方に設けられる底部６２とを備える。
【００１６】
図に示すように、気嚢型高さ調整構造１ａ、１ｂ、１ｃは、クッション体６０の形状に合わせてＵ形に配列させる。なお、気嚢型高さ調整構造１ｃは、上下に重ねられて直接相互に連通する気嚢袋１０ｃ、２０ｃからなる。気嚢袋１０ｃは、連結管３０ｃによって、気嚢型高さ調整構造１ｂの空気制御ユニット３０ｂと相互に連通する。それにより、気嚢型高さ調整構造１ｃには、空気制御ユニットを設けなくても、空気制御ユニット３０ｂで空気の吸入と排出を制御することができる。
【００１７】
図１３、図１４に示すように、クッション体６０は、人が座ることができ、さらに、人の臀部を支え、形を保ち、座る姿勢を保持することができる。また、クッション体６０は、高さ、硬さ、形状の調整も行うことができる。
【００１８】
（実施例４）
図１５、図１６に示すように、本考案の実施例４も、Ｕ形に並べられた複数の気嚢型高さ調整構造１ａ、１ｂ、１ｃからなり、Ｕ形の首枕７０内に取り付けられる。その気嚢型高さ調整構造１ａは、首枕７０形状のニーズに応じて、上下に重ねて配置された気嚢袋１０ａ、２０ａの上に、気嚢袋４０ａを設けることができる。
【００１９】
図１７に示すように、首枕７０は、人の首に嵌め込まれ、人が寝ている時に首を支えて保護する。なお、首枕７０も、高さ、硬さ、形状の調整を行うことができる。
【００２０】
図１８に示すように、首枕７０は、机の上に置くこともでき、机に伏せて寝た時に使用者の頭をのせることができる。首枕７０によって、人の頭と手を分けることができ、伏せて寝ても頭で手を圧迫することがなくなる。なお、首枕７０も、高さ、硬さ、形状の調整を行うことができる。
【００２１】
（実施例５）
図１９と図２０に示すように、本考案の実施例５では、直接連通する気嚢型高さ調整構造１を  二組、枕８０内に埋め込む。それにより、寝ている時に、ぴったりとはりついて、頭、首、肩を支えることができる。なお、枕８０も、高さ、硬さ、形状の調整を行うことができる。
【００２２】
（実施例６）
図２１と図２２に示すように、本考案の実施例６では、直接連通する気嚢型高さ調整構造１を、二組、カバー９１内に埋め込む。カバー９１には帯９２が設けられ、普通の枕９０に被せることができる。それにより、人が寝ている時にぴったりと貼りつき、頭、首、肩を支えることができる。なお、カバー９１も、直接連通する気嚢型高さ調整構造１に取り付けているため、高さ、硬さ、形状の調整を行うことができる。
【００２３】
（実施例７）
図２３と図２４に示すように、本考案の実施例７では、直接連通する気嚢型高さ調整構造１を、二組、背もたれ９３内に埋めこむ。それにより、人が座った時に、背中にぴったりと貼りつく。なお、背もたれ９３も、高さ、硬さ、形状の調整を行うことができる。
【符号の説明】
【００２４】
１        直接連通する気嚢型高さ調整構造      
１０      気嚢袋                  
１１      弾性体
１２      通孔                      
１３      接合領域
２０      気嚢袋                  
２１      弾性体
２２      通孔                      
２３      接合領域
２４      通孔                      
２５      接合領域
３０      空気制御ユニット              
４０      気嚢袋                  
４１      弾性体                  
４２      通孔                      
４３      接合領域                  
５０      クッション体
６０      クッション体                      
６１      表面部
６２      底部                      
７０      首枕
８０      枕                      
９０      普通の枕                
９１      カバー                      
９２      帯                        
９３      背もたれ
１ａ、１ｂ、１ｃ        気嚢型高さ調整構造
１０ｃ    気嚢袋                
２０ｃ    気嚢袋
３０ｂ    空気制御ユニット            
３０ｃ    連結管
４０ａ    気嚢袋
【図１】
0003177133.tif 000003
【図２】
0003177133.tif 000004
【図３】
0003177133.tif 000005
【図４】
0003177133.tif 000006
【図５】
0003177133.tif 000007
【図６】
0003177133.tif 000008
【図７】
0003177133.tif 000009
【図８】
0003177133.tif 000010
【図９】
0003177133.tif 000011
【図１０】
0003177133.tif 000012
【図１１】
0003177133.tif 000013
【図１２】
0003177133.tif 000014
【図１３】
0003177133.tif 000015
【図１４】
0003177133.tif 000016
【図１５】
0003177133.tif 000017
【図１６】
0003177133.tif 000018
【図１７】
0003177133.tif 000019
【図１８】
0003177133.tif 000020
【図１９】
0003177133.tif 000021
【図２０】
0003177133.tif 000022
【図２１】
0003177133.tif 000023
【図２２】
0003177133.tif 000024
【図２３】
0003177133.tif 000025
【図２４】
0003177133.tif 000026